(57)【特許請求の範囲】
【請求項１】
雪庇を切断するための雪庇切断部を備える第一ワイヤーと、第一ワイヤーを保持し屋根の雪庇発生箇所の上方に支持する２本の支柱部と、屋根の雪庇発生箇所の上方に支持される第一ワイヤーの２箇所に吊着するものであって雪庇を切断する雪庇切断部を備える２つの第二ワイヤーとから構成することを特徴とする雪庇切断装置。
【請求項２】
支柱部に、雪庇が発生する屋根の傾斜と同じ傾斜の第二ワイヤーガイド部を屋根より高い位置に備えることを特徴とする請求項１記載の雪庇切断装置。
【請求項３】
第二ワイヤーの先端部分の雪庇切断部を保持する取っ手部を設けることを特徴とする請求項１又は請求項２記載の雪庇切断装置。
【発明の詳細な説明】
【技術分野】
【０００１】
本発明は、雪庇切断装置に関するものである。
【背景技術】
【０００２】
雪庇は、ビルの屋上や住宅の無落雪屋根などの風下に発生するものである。雪庇の落下は、車等の物損事故、通行人の人身事故につながるおそれがあり、危険であった。
【０００３】
従来、雪庇を切り落とす屋根の雪庇切断装置が提供されている（たとえば、特許文献１）。
【先行技術文献】
【特許文献】
【０００４】
【特許文献１】特開２００１−４０９０８号公報
【発明の概要】
【発明が解決しようとする課題】
【０００５】
特許文献１の雪庇切断装置は、屋根の軒先部等の両端の破風部等に支持柱を固定し、該支持柱頭部をワイヤー等で張架し、該ワイヤーにリングを通し該リングに被覆ワイヤーを吊着して設けるものであった。手動で被覆ワイヤーを引き寄せてリングを移動させることにより、軒先部に積もった雪庇を切り落とすことができる。
【０００６】
しかし、特許文献１の雪庇切断装置は、被覆ワイヤーを１人で引き寄せるものであるため、雪庇を切り落とすためには相当の力（又は労力）が必要であり、また切り落とすことができないおそれがあった。
【０００７】
本発明は、上記問題を解決するものであって、雪庇を簡単に切断できる雪庇切断装置を提供することを目的とするものである。
【課題を解決するための手段】
【０００８】
本発明の雪庇切断装置は、雪庇を切断するための雪庇切断部を備える第一ワイヤーと、第一ワイヤーを保持し屋根の雪庇発生箇所の上方に支持する２本の支柱部と、屋根の雪庇発生箇所の上方に支持される第一ワイヤーの２箇所に吊着するものであって雪庇を切断する雪庇切断部を備える２つの第二ワイヤーとから構成するようにしたものである。
また、支柱部に、雪庇が発生する屋根の傾斜と同じ傾斜の第二ワイヤーガイド部を屋根より高い位置に備えるようにしたものである。
また、第二ワイヤーの先端部分の雪庇切断部を保持する取っ手部を設けるようにしたものである。
【発明の効果】
【０００９】
本発明の雪庇切断装置は、支柱部に保持されたワイヤーを二人で引き合って雪庇を切り落とすものである。従来のような１人で雪庇を切断する雪庇切断装置に比べ、雪庇切断の労力を軽減できる。さらには、ワイヤーは雪庇を切断する雪庇切断部を備えるものであるため、簡単に切断することができる。
また、傾斜した屋根の雪庇を切断する場合、支柱部に屋根の傾斜と同じ傾斜のワイヤーガイド部を設けることにより、ワイヤーが屋根に接触することを防止できることから、ワイヤーによって屋根が傷つくことはない。
また、ワイヤーの先端部分の雪庇切断部を保持する取っ手部を設けることで、安全に作業することができる。
【図面の簡単な説明】
【００１０】
【図１】本発明の雪庇切断装置を表わす図である。
【図２】本発明の雪庇切断装置の使用状態図である。
【図３】本発明の雪庇切断装置の取っ手部を表わす図である。
【図４】本発明の雪庇切断装置を四角屋根に設置した場合の状態図である。
【図５】本発明の雪庇切断装置を無落雪の屋根に設置した場合の状態図である。
【発明を実施するための形態】
【００１１】
本発明は、雪庇切断の労力を軽減することを実現するものである。
【実施例】
【００１２】
本発明の雪庇切断装置を図に基づいて説明する。図１は、本発明の雪庇切断装置を表わす図である。図２は、本発明の雪庇切断装置の使用状態図である。図３は、本発明の雪庇切断装置の取っ手部を表わす図である。図４は、本発明の雪庇切断装置を四角屋根に設置した場合の状態図である。図５は、本発明の雪庇切断装置を無落雪の屋根に設置した場合の状態図である。
本発明の雪庇切断装置１０は、第一ワイヤー１２と、第一ワイヤー１２を保持し支持する２本の支柱部１４ａ，１４ｂと、第一ワイヤー１２に吊着する２つの第二ワイヤー１６ａ，１６ｂとからなるものである。
第一ワイヤー１２は、雪庇１８を切断するための雪庇切断部２０を備えるものである。雪庇切断部２０は、第一ワイヤー１２に等間隔に設けられる金属製の突起物（または突出部）である。形状は、球、円柱、角柱等のいずれでもよいが、これらの形状に限るものではない。
【００１３】
支柱部１４ａ，１４ｂは、第一ワイヤー１２を保持し、ビルや住宅の建物２２の屋根２４の雪庇１８の発生箇所の上方に支持するように、ビルや住宅の建物２２の壁面２２ａ，２２ｂに取り付けられ、固定部２６ａ，２６ｂによって固定されている。
図１の支柱部１４ａ，１４ｂは、略Ｓ字に形成されたものであり、上部には、第一ワイヤー１２を通す環状のガイド部２８ａ，２８ｂが設けられている（図１、図２、図４、図５）。環状のガイド部２８ａ，２８ｂに通された第一ワイヤー１２の両端は、建物２２の壁面２２ａ，２２ｂに備えるワイヤー巻取り機３０ａ，３０ｂに連結されている。
支柱部１４ａ，１４ｂの下部は、固定部２６ａ，２６ｂによって建物２２の壁面２２ａ，２２ｂに固定されている。固定部２６ａ，２６ｂは、支柱部１４ａ，１４ｂを固定し又固定を解除できるものである。支柱部１４ａ，１４ｂの位置を変更する場合は、支柱部１４ａ，１４ｂの固定を解除し、支柱部１４ａ，１４ｂの位置を変更して再度固定する。
図１の略Ｓ字に形成された支柱部１４ａ，１４ｂは、六角形の支柱である。固定部２６ａ，２６ｂに固定される支柱部１４ａ，１４ｂの下部を回転させることで、支柱部１４ａ，１４ｂの位置を変更することができる（例えば、図４）。
なお、支柱部１４ａ，１４ｂは略Ｓ字に形成されたものが好ましいが、他の形状のものでもよい。
また、支柱部１４ａ，１４ｂは、壁面２２ａ，２２ｂ以外の場所に設けても良い。
【００１４】
第二ワイヤー１６ａ，１６ｂは、第一ワイヤー１２の２箇所に吊着するものである。また、第一ワイヤー１２と同様、雪庇を切断する雪庇切断部２０を備えるものである。
【００１５】
第一ワイヤー１２の雪庇切断部２０は、２つの第二ワイヤー１６ａ，１６ｂが吊着されるワイヤー連結部３２ａ，３２ｂの間にのみ設ける。
【００１６】
本発明の雪庇切断装置１０の設置について、図１を用いて説明する。
支柱部１４ａ，１４ｂのガイド部２８ａ，２８ｂに通す第一ワイヤー１２を屋根２４の雪庇１８の上方に配置し支持できるように、壁面２２ａ，２２ｂに支柱部１４ａ，１４ｂを取り付ける。第一ワイヤー１２をガイド部２８ａ，２８ｂに通して、第一ワイヤー１２の両端をワイヤー巻取り機３０ａ，３０ｂにそれぞれ連結し、支柱部１４ａ，１４ｂに架け渡す。その後、ワイヤー巻取り機３０ａ，３０ｂで第一ワイヤー１２を巻取り、適度な張力がかかった状態で支柱部１４ａ，１４ｂに取り付け、保持する（図１）。
【００１７】
雪庇１８を切断する場合、ワイヤー巻取り機３０ａ，３０ｂを開放し、第一ワイヤー１２をワイヤー巻取り機３０ａ，３０ｂから自由に引き出せる状態にする。また、ワイヤー巻取り機３０ａ，３０ｂを開放すると、支柱部１４ａ，１４ｂに架け渡された状態で保持されていた第一ワイヤー１２は、直下の雪庇１８の上に落下する（図２）。作業員二人Ａ、Ｂは、第二ワイヤー１６ａ，１６ｂをそれぞれ保持し、第二ワイヤー１６ａ，１６ｂを介して、第一ワイヤー１２を引き合う。引き合う際、第一ワイヤー１２及び第二ワイヤー１６ａ，１６ｂの雪庇切断部２０により雪庇１８が切断され、切り落すことができる。雪庇１８は、上記切断作業の過程で自重により落下する。
従来のような１人で雪庇を切断する雪庇切断装置に比べ、雪庇切断の労力を軽減できる。また、雪庇切断部により容易に切断することができるため、従来に比べ作業が簡単になる。
【００１８】
また、第二ワイヤー１６ａ，１６ｂの先端部分の雪庇切断部２０を保持するための取っ手部３４を設ける。取っ手部３４には、第二ワイヤー１６ａ，１６ｂを導入する溝３４ａと、溝３４ａに連続して形成される雪庇切断部２０の収納空間３４ｂが設けられている。第二ワイヤー１６ａ，１６ｂの先端部分の雪庇切断部２０を収納空間３４ｂに入れ、その雪庇切断部２０に続く第二ワイヤー１６ａ（又は１６ｂ）を溝３４ａに導入する。これにより、第二ワイヤー１６ａ，１６ｂの先端に取っ手部３４を取り付けることができ、安全に第二ワイヤー１６ａ，１６ｂを引くことができる。第二ワイヤー１６ａ，１６ｂは、第一ワイヤー１２を引き合う作業中は、取っ手部３４から外れることはない。
【００１９】
図２に示すようなビルなどの建物の四角屋根に設置する場合、支柱部１４ａ，１４ｂのガイド部２８ａ，２８ｂを雪庇１８の上方に設ける（図４（ａ））。また、雪庇１８を切断する場合は、支柱部１４ａ，１４ｂに沿って第二ワイヤー１６ａ，１６ｂを引く。これにより、雪庇１８を切断することができる。
図２の建物２２の屋根２４は、軒２４ａを有するものである。軒２４ａがない場合は、略Ｓ字に形成された支柱部１４ａ，１４ｂの下部（固定部２６ａ，２６ｂに固定される支柱部１４ａ，１４ｂ）を回転させることで、支柱部１４ａ，１４ｂの位置を変更することができる（図４（ｂ））。
【００２０】
無落雪の屋根など傾斜している屋根２４の雪庇１８を切断する場合たとえば図５の軒２４ａに発生する雪庇１８を切断する場合、支柱部１４ａ，１４ｂに、屋根２４の軒２４ａの傾斜と同じ傾斜の第二ワイヤーガイド部３６を屋根２４の軒２４ａより高い位置に設ける（図５）。雪庇１８を切断する場合、第二ワイヤーガイド部３６に沿って第二ワイヤー１６ａ，１６ｂを引く。これにより、第二ワイヤー１６ａ，１６ｂが屋根２４の軒２４ａに傷をつけることなく、雪庇１８を切断することができる。第二ワイヤーガイド部３６がない場合、第一ワイヤー１２を引き合う際に、第二ワイヤー１６ａ，１６ｂが軒２４ａに接触し、軒２４ａが破損するおそれがある。すなわち、第二ワイヤーガイド部３６は、屋根２４をガードするものである。
第二ワイヤーガイド部３６は、棒状のガイド部本体３８と、ガイド部本体３８の傾斜を変更するための傾斜調整部４０とから構成されるものである。傾斜調整部４０は、ガイド部本体３８の一端を支柱部１４ａ，１４ｂの上部側に固定する第一固定部材４０ａと、ガイド部本体３８の他端に可動可能に連結しガイド部本体３８の傾斜を支持する支持部材４０ｂと、支持部材４０ｂの開放端を支柱部１４ａ，１４ｂの下部側に固定する第二固定部材４０ｃとからなるものである。第一固定部材４０ａと第二固定部材４０ｃの間を広げ又は狭めることにより、ガイド部本体３８（すなわち第二ワイヤーガイド部３６）の傾斜を調整することができる。
【符号の説明】
【００２１】
１０  雪庇切断装置
１２  第一ワイヤー
１４ａ，１４ｂ  支持部
１６ａ，１６ｂ  第二ワイヤー
１８  雪庇
２０  雪庇切断部
２４  屋根
３４  取っ手部
３６  第二ワイヤーガイド部
【要約】
【課題】  雪庇を簡単に切断できる雪庇切断装置を提供する。
【解決手段】  雪庇切断装置１０は、雪庇１８を切断するための雪庇切断部２０を備える第一ワイヤー１２と、第一ワイヤー１２を保持し支持する２本の支柱部１４ａ，１４ｂと、第一ワイヤー１２に吊着する２つの第二ワイヤー１６ａ，１６ｂとからなるものである。
雪庇１８を切断する場合、２本の支柱部１４ａ，１４ｂに架け渡される第一ワイヤー１２を雪庇１８の上に落下させる。第二ワイヤー１６ａ，１６ｂを介して、第一ワイヤー１２を引き合う。引き合う際、第一ワイヤー１２及び第二ワイヤー１６ａ，１６ｂの雪庇切断部２０により雪庇１８が切断され、切り落すことができる。雪庇１８は、上記切断作業の過程で自重により落下する。雪庇１８を容易に切断することができるため、作業が簡単になる。
【選択図】  図１【図１】
0005463434.tif 000002
【図２】
0005463434.tif 000003
【図３】
0005463434.tif 000004
【図４】
0005463434.tif 000005
【図５】
0005463434.tif 000006